(57)【要約】【課題】  余白領域で高い駆動周波数が必要なく、簡易な構成により省電力で、応答性が高い液晶表示装置を提供する。【解決手段】  液晶表示装置１では、同一フィールド期間において、走査線Ｙ（１）および蓄積容量線ＣＬ（１）から、走査線Ｙ（３０）および蓄積容量線ＣＬ（３０）までが順次に駆動され、これに同期して、走査線Ｙ（２１１）および蓄積容量線ＣＬ（２１１）から、走査線Ｙ（２４０）および蓄積容量線ＣＬ（２４０）までが順次に駆動され、その後、走査線Ｙ（３１）および蓄積容量線ＣＬ（３１）から、走査線Ｙ（２１０）および蓄積容量線ＣＬ（２１０）までが順次に駆動されることで、アスペクト比１６：９の表示が行われる。【選択図】図１
2006084933.tif 000002
【特許請求の範囲】
【請求項１】
複数の信号線と複数の走査線とが交差し、前記走査線と信号線とが交差する各交差部に当該走査線の駆動により導通する画素トランジスタと該導通した画素トランジスタにより当該信号線からの映像信号が書き込まれる画素電極とが配置され、該画素電極との間に補助容量を構成する蓄積容量線が各走査線に沿って形成されたアレイ基板と、該アレイ基板に対し液晶層を挟んで対向する対向基板と、前記各信号線に映像信号を供給する信号線駆動回路と、前記各走査線を順次に駆動する走査線駆動回路と、前記各蓄積容量線を順次に駆動する蓄積容量線駆動回路とを備え、
前記各走査線および各蓄積容量線の駆動により表示を行うことが可能な表示領域にその中央領域を挟む２つの余白領域を設ける場合は、一方の余白領域での駆動と、他方の余白領域での駆動とを同期させることを特徴とする液晶表示装置。
【請求項２】
前記蓄積容量線駆動回路は、２つの補償電圧を同一フィールド期間中の同一タイミングで切り替えながら同一の蓄積容量線に印加することを特徴とする請求項１記載の液晶表示装置。
【請求項３】
前記走査線駆動回路が、各走査線ごとに走査線を駆動するシフトレジスタを備え、前記蓄積容量線駆動回路が、各蓄積容量線ごとに蓄積容量線を駆動する単位回路を備え、余白領域が先に中央領域が後に駆動されるときの当該中央領域で後に駆動される一部の蓄積容量線を除いては、蓄積容量線に対応する単位回路を一部の前記シフトレジスタが動作させるようになっており、
前記後に駆動される一部の蓄積容量線に対応する単位回路を動作させるシフトレジスタを備えたことを特徴とする請求項１または２記載の液晶表示装置。
【請求項４】
余白領域が先に中央領域が後に１水平走査期間ライン反転駆動が行われるようになっており、
前記中央領域で最後に駆動されるラインの極性と前記余白領域で最初に駆動され且つ当該ラインと隣り合うラインの極性とを互いに異なる極性にする手段を備えたことを特徴とする請求項１ないし３のいずれかに記載の液晶表示装置。
【請求項５】
前記画素トランジスタを形成するプロセスと同一のプロセスで前記信号線駆動回路と前記走査線駆動回路と前記蓄積容量線駆動回路を前記アレイ基板上に形成したことを特徴とする請求項１ないし４のいずれかに記載の液晶表示装置。
【発明の詳細な説明】
【技術分野】
【０００１】
本発明は、余白領域で高い駆動周波数が必要なく、簡易な構成により省電力で、応答性が高い液晶表示装置に関する。
【背景技術】
【０００２】
テレビジョン方式においては、アスペクト比４：３のＮＴＳＣ方式が標準とされてきたが、アスペクト比１６：９のいわゆるワイドビジョン方式の開発を契機に、これに対応する映像ソフトが多数制作され、臨場感のある映像が楽しめるようになってきた。
【０００３】
また、アスペクト比４：３の画面を有する表示装置においても、アスペクト比１６：９への対応が望まれ、実際に、ワイドビジョン表示モードを有する液晶テレビや、ワイドビジョン撮影モードを有するビデオカメラ装置などが実現されている。
【０００４】
このような表示装置では、アスペクト比１６：９の映像信号が入力されると、例えば、図７に示すように、アスペクト比４：３の画面の上部、下部にそれぞれ上余白領域、下余白領域を設け、これら領域に挟まれた、アスペクト比１６：９の中央領域に表示を行う。上余白領域、下余白領域を設けないと、画像が縦長に表示されてしまうからである。
【０００５】
さらに、上余白領域、下余白領域では、駆動周波数を、アスペクト比４：３の画面に表示を行う場合の駆動周波数よりも高くする必要がある。
【０００６】
その理由を、例えば、走査線数が２４０本の液晶表示装置にＮＴＳＣ方式の信号が入力された場合で説明すると、まず、アスペクト比４：３の画面を駆動する場合は、水平走査期間＝６３．６μＳを走査線数倍、つまり２４０倍した時間１５．３ｍｓを要し、同様に、アスペクト比１６：９の中央領域を駆動するのにも１５．３ｍｓを要する。
【０００７】
また、上余白領域、下余白領域をそれぞれ３０の走査線で構成し、この領域をアスペクト比４：３の画面に表示を行う場合の駆動周波数と同じ駆動周波数で駆動すると、つまり水平走査期間＝６３．６μＳで駆動すると、合計の駆動時間は、６３．６μＳ×６０＝３．８ｍｓとなる。
【０００８】
この場合、上余白領域、下余白領域および中央領域を合わせた駆動時間が１９．１ｍｓとなり、１フィールド期間（＝１６．７ｍｓ）を超えてしまうので、上余白領域、下余白領域では駆動周波数を高くしているのである。
【０００９】
具体的には、１６．７ｍｓ−１５．３ｍｓ＝１．４ｍｓの間に６０の走査線を駆動するので、水平走査期間は、１．４ｍｓ／６０＝２３．３μＳとなる。つまり、アスペクト比１６：９で表示する場合の余白領域での駆動周波数は、アスペクト比４：３の画面を駆動する場合の駆動周波数の約２．７倍にも達する。
【００１０】
なお、これはＮＴＳＣ方式に限らず、例えばＰＡＬ方式でも同様である。
【００１１】
駆動周波数を高くすると、画素電極への充電が不足し、例えば、上余白領域、下余白領域を黒一色に表示した場合、中央領域で表示される黒との間で、輝度の差が生じる可能性がある。
【００１２】
この対策として、特許文献１に開示された液晶表示装置では、上余白領域と下余白領域の走査電極の電位と信号電極の電位とを等しくしている。
【００１３】
また、特許文献２に開示された液晶表示装置では、上余白領域と下余白領域の走査線に黒色情報を書き込むようにしている。
【００１４】
また、特許文献３に開示された液晶表示装置では、以下のようにして、上記問題を解決している。
【００１５】
図８は、特許文献３に開示された液晶表示装置（液晶表示装置２という）の液晶パネルの構成を示す回路図であり、図９は、液晶パネル並びにこの液晶パネルとともに用いられる回路を示す図であり、図１０は、液晶表示装置２における電圧波形を示す図である。
【００１６】
図８の信号線駆動回路１１には、１水平走査期間（Ｈ）毎に極性が反転する映像信号が入力され、制御信号から水平走査回路１０が生成したサンプリングパルスにより、信号線駆動回路１１が映像信号を順次に信号線Ｘに供給する。
【００１７】
また、液晶表示装置２では、アスペクト比４：３の画面の上部に余白領域を設け、アスペクト比１６：９となった下部領域に表示を行う。
【００１８】
図９に示すワイド制御信号は、図１０に示すように、下部領域を駆動する期間では低電圧となっており、これにより、下部領域を駆動する期間では、図９の切替スイッチをプリチャージ用パルス発生回路に接続して、プリチャージ用パルス信号を液晶パネルへ供給する。また、下部領域を駆動する期間では、図９に示すプリチャージ制御信号は、図１０に示すようにオンオフを繰り返しており、図８の液晶パネルでは、プリチャージ制御信号のオン期間だけオンとなったスイッチＰＳＷを介して、プリチャージ用パルス信号が信号線Ｘに供給される。そして、スイッチＰＳＷがオフとなった後に、信号線駆動回路１１から映像信号が信号線Ｘに供給される。プリチャージ用パルス信号あるいは映像信号が信号線Ｘに供給されている間は、走査線駆動回路１３が走査線Ｙを駆動し、これにより導通した画素トランジスタＱを介して、プリチャージ用パルス信号あるいは映像信号が画素電極Ｐに供給される。これにより、この信号の振幅に応じた強度の電界が液晶に印加されて、この電界の強度に応じた量の光が液晶から出射する。
【００１９】
一方、図９に示すワイド制御信号は、図１０に示すように、余白領域を駆動する期間では高電圧となっており、これにより、余白領域を駆動する期間では、図９の切替スイッチをワイド用パルス発生回路に接続して、ワイド用パルス信号を液晶パネルへ供給する。また、図８の液晶パネルでは、信号線駆動回路１１から信号線Ｘには映像信号が供給されず、ワイド制御信号により常にオンとなったスイッチＰＳＷを介して、ワイド用パルス信号が信号線Ｘに供給される。ワイド用パルス信号が信号線Ｘに供給されている間は、走査線駆動回路１３が走査線Ｙを駆動し、これにより導通した画素トランジスタＱを介して、ワイド用パルス信号が画素電極Ｐに供給されて、この信号の振幅に応じた量の光が液晶から出射する。
【特許文献１】特開平５−１９９４８２号公報
【特許文献２】特開平８−３１４４２１号公報
【特許文献３】特開２００１−０５１６４３号公報
【発明の開示】
【発明が解決しようとする課題】
【００２０】
上述した特許文献１および特許文献２に開示された液晶表示装置では、２種類のアスペクト比で表示を行うための駆動系、メモリ、スキャンコンバータなどが必要であり、そのため、液晶表示装置が複雑化そして大型化し、消費電力が増加する。
【００２１】
また、特許文献３に開示された液晶表示装置では、ワイド用パルス信号の振幅をプリチャージ用パルス信号の振幅よりも大きくする必要がある。また、画面拡大に伴い、水平方向の画素数が増加すると、ワイド用パルス信号の電流値を大きくする必要があり、そのため、図９の映像信号処理ＩＣ、ひいては液晶表示装置の消費電力が増大する。
【００２２】
また、様々な用途に用いられる液晶表示装置の中でも、液晶テレビやビデオカメラ装置のＥＶＦ（電子ビューファインダー）に用いられる液晶表示装置や、ＤＶＤ（Digital Versatile Disk)に記録された動画データを表示する液晶表示装置においては、動画表示の品質向上のために、応答性の向上が強く求められている。
【００２３】
応答性の向上は、例えば、映像信号にオーバードライブ電圧を重畳させることで可能となるが、これには、オーバードライブ電圧を計算するための演算装置やラインメモリが必要であり、そのため、液晶表示装置の複雑化とコスト増大を招く。
【００２４】
本発明は、上記課題に鑑みてなされたものであり、その目的とするところは、余白領域で高い駆動周波数が必要なく、簡易な構成により省電力で、応答性が高い液晶表示装置を提供することにある。
【課題を解決するための手段】
【００２５】
上記の目的を達成するために、本発明の請求項１記載の液晶表示装置は、複数の信号線と複数の走査線とが交差し、前記走査線と信号線とが交差する各交差部に当該走査線の駆動により導通する画素トランジスタと該導通した画素トランジスタにより当該信号線からの映像信号が書き込まれる画素電極とが配置され、該画素電極との間に補助容量を構成する蓄積容量線が各走査線に沿って形成されたアレイ基板と、該アレイ基板に対し液晶層を挟んで対向する対向基板と、前記各信号線に映像信号を供給する信号線駆動回路と、前記各走査線を順次に駆動する走査線駆動回路と、前記各蓄積容量線を順次に駆動する蓄積容量線駆動回路とを備え、前記各走査線および各蓄積容量線の駆動により表示を行うことが可能な表示領域にその中央領域を挟む２つの余白領域を設ける場合は、一方の余白領域での駆動と、他方の余白領域での駆動とを同期させることを特徴とする。
【００２６】
この請求項１記載の液晶表示装置によれば、一方の余白領域での駆動と、他方の余白領域での駆動とを同期させることで、余白領域で高い駆動周波数が必要なく、また簡易な構成で消費電力を少なくでき、しかも蓄積容量線の駆動により応答性を高めることができる。
【００２７】
請求項２記載の液晶表示装置は、請求項１記載の液晶表示装置において、前記蓄積容量線駆動回路は、２つの補償電圧を同一フィールド期間中の同一タイミングで切り替えながら同一の蓄積容量線に印加することを特徴とする。
【００２８】
この請求項２記載の液晶表示装置によれば、２つの補償電圧を同一フィールド期間中の同一タイミングで切り替えながら同一の蓄積容量線に印加することで、液晶の電圧が正極性および負極性となったときの実効電圧同士を等しくでき、これにより、液晶全体における電界の分布が一様になるので、局所的な表示ムラ、フリッカーおよび焼きつきの発生を防止することができる。
【００２９】
請求項３記載の液晶表示装置は、請求項１または２記載の液晶表示装置において、前記走査線駆動回路が、各走査線ごとに走査線を駆動するシフトレジスタを備え、前記蓄積容量線駆動回路が、各蓄積容量線ごとに蓄積容量線を駆動する単位回路を備え、余白領域が先に中央領域が後に駆動されるときの当該中央領域で後に駆動される一部の蓄積容量線を除いては、蓄積容量線に対応する単位回路を一部の前記シフトレジスタが動作させるようになっており、前記後に駆動される一部の蓄積容量線に対応する単位回路を動作させるシフトレジスタを備えたことを特徴とする。
【００３０】
この請求項３記載の液晶表示装置によれば、中央領域で後に駆動される一部の蓄積容量線に対応する単位回路を動作させるシフトレジスタを備えたことで、この蓄積容量線を他の蓄積容量線と同様に駆動でき、よって、液晶全体における電界の分布が一様になるので、局所的な表示ムラ、フリッカーおよび焼きつきの発生を防止することができる。
【００３１】
請求項４記載の液晶表示装置は、請求項１ないし３のいずれかに記載の液晶表示装置において、余白領域が先に中央領域が後に１水平走査期間ライン反転駆動が行われるようになっており、前記中央領域で最後に駆動されるラインの極性と前記余白領域で最初に駆動され且つ当該ラインと隣り合うラインの極性とを互いに異なる極性にする手段を備えたことを特徴とする。
【００３２】
この請求項４記載の液晶表示装置によれば、中央領域で最後に駆動されるラインの極性と余白領域で最初に駆動され且つ当該ラインと隣り合うラインの極性とを互いに異なる極性にする手段を備えたことで、これらのラインを含めた液晶全体における電界の分布が一様な交流分布になるので、局所的な表示ムラ、フリッカーおよび焼きつきの発生を防止することができる。
【００３３】
請求項５記載の液晶表示装置は、請求項１ないし４のいずれかに記載の液晶表示装置において、前記画素トランジスタを形成するプロセスと同一のプロセスで前記信号線駆動回路と前記走査線駆動回路と前記蓄積容量線駆動回路を前記アレイ基板上に形成したことを特徴とする。
【００３４】
この請求項５記載の液晶表示装置によれば、画素トランジスタを形成するプロセスと同一のプロセスで信号線駆動回路と走査線駆動回路と蓄積容量線駆動回路をアレイ基板上に形成したので、製造工程を削減できる。また、当該回路を集積した集積回路や端子などの部品を削減することができる。また、当該集積回路を搭載するために大きくせざるを得なかった額縁領域を小さくすることができる。
【発明の効果】
【００３５】
本発明の液晶表示装置によれば、一方の余白領域での駆動と、他方の余白領域での駆動とを同期させることで、余白領域で高い駆動周波数が必要なく、また簡易な構成で消費電力を少なくでき、しかも蓄積容量線の駆動により応答性を高めることができる。
【発明を実施するための最良の形態】
【００３６】
以下、本発明の各実施の形態について図面を用いて説明する。
【００３７】
（第１の実施の形態）
まず、第１の実施の形態に係る液晶表示装置について説明する。
【００３８】
図１は、第１の実施の形態に係る液晶表示装置１の回路と駆動順序を示す図である。
【００３９】
液晶表示装置１は、複数の信号線Ｘと複数の走査線Ｙとが交差するアレイ基板（図示せず）と、該アレイ基板に対し液晶層（図１では液晶素子として示す）を挟んで対向する対向基板と（図示せず）を備えている。また、液晶表示装置１は、アレイ基板の背面に、光源としてバックライト装置（図示せず）を備えることがある。また、液晶表示装置１は、対向基板にカラーフィルタを備えることがある。
【００４０】
アレイ基板では、信号線Ｘ走査線Ｙとが交差する各交差部に、当該走査線Ｙが駆動されて導通する画素トランジスタＱと、該導通した画素トランジスタＱを介して各信号線Ｘから映像信号が書き込まれる画素電極Ｐとが配置され、画素電極Ｐとの間に補助容量Ｃを構成する蓄積容量線ＣＬが各走査線Ｙに沿って形成されている。
【００４１】
画素トランジスタＱは、例えば、薄膜トランジスタ（TFT:Thin Film Transistor)であり、ここでは、画素トランジスタＱのゲート、ソースおよびドレインが、それぞれ走査線Ｙ、信号線Ｘおよび画素電極Ｐに接続されていることとする。
【００４２】
また、液晶表示装置１では、走査線Ｙの数と蓄積容量線ＣＬの数が同数であれば、その数（ライン数）は任意にできる。ここでは、ライン数を２４０本とし、各ラインを、１ライン、２ラインの如く、ライン番号を付けて記載する。
【００４３】
液晶表示装置１は、各信号線Ｘに映像信号を供給する信号線駆動回路を構成するものとして、水平走査回路１０および信号線駆動回路１１を備えている。
【００４４】
信号線駆動回路１１には、１水平走査期間（Ｈ）毎に極性が反転する映像信号が入力される。また、信号線駆動回路１１は、各信号線Ｘに接続されたスイッチ（図示せず）を有し、水平走査回路１０に与えられた制御信号から水平走査回路１０が生成したサンプリングパルスにより、映像信号を順次にサンプリングする。つまり、そのサンプリングタイミングで当該スイッチを順次オンすることにより、オンの間、信号線Ｘに映像信号を供給する。
【００４５】
また、液晶表示装置１は、走査線駆動回路を構成するものとして、各走査線Ｙごとに走査線Ｙを駆動するシフトレジスタＳＲおよびバッファＢＦを備えている。
【００４６】
液晶表示装置１に与えられる垂直同期信号が、１ラインのシフトレジスタＳＲ（１）（以下同様に、シフトレジスタおよび他の回路構成について、対応するライン番号を括弧つきで付加する）を動作させると、シフトレジスタＳＲ（１）がバッファＢＦ（１）を介し走査線Ｙ（１）に高電圧Ｖｇｈを供給することで走査線Ｙ（１）が選択される。以下同様に、２４０ラインまでのシフトレジスタＳＲおよびバッファＢＦが水平走査期間ごとに順次動作して走査線Ｙが順次駆動される。
【００４７】
また、液晶表示装置１は、蓄積容量線駆動回路を構成するものとして、蓄積容量線ＣＬごとに蓄積容量線ＣＬを駆動する単位回路ＣＤを備え、各単位回路ＣＤは、２つの補償電圧を同一フィールド期間（ＮＴＳＣ方式の場合、１フィールド期間は１６．７μＳ）中の同一タイミングで、具体的には、２段後のシフトレジスタＳＲの出力の立ち上がりで切り替えながら同一の蓄積容量線に印加するようになっている。
【００４８】
また、液晶表示装置１では、同一フィールド期間では、あるラインを構成する画素電極Ｐの対向電極に対する極性と、次のラインを構成する画素電極Ｐの対向電極に対する極性とを異ならせるようになっている。つまり、液晶表示装置１は、１水平走査期間ライン反転駆動を行うようになっている。
【００４９】
液晶表示装置１では、単位回路ＣＤは、２段後のシフトレジスタＳＲにより動作するようになっているので、例えば、単位回路ＣＤ（１）を動作させるのはシフトレジスタＳＲ（３）である。単位回路ＣＤ（２）以降の単位回路ＣＤについても同様であるが、単位回路ＣＤ（２０９）と単位回路ＣＤ（２１０）を動作させるシフトレジスタについては後述する。
【００５０】
液晶表示装置１では、シフトレジスタＳＲ（２４０）の次段に、単位回路ＣＤ（２３９）を動作させるためだけのシフトレジスタＳＲＡ１が設けられ、このシフトレジスタＳＲＡ１の次段に、単位回路ＣＤ（２４０）を動作させるためだけのシフトレジスタＳＲＡ２が設けられている。
【００５１】
液晶表示装置１は、アスペクト比４：３で表示を行う場合、すなわち通常時は、１ラインから２４０ラインまでで表示領域を構成し、１ラインから２４０ラインへと順次にラインを駆動する。
【００５２】
一方、アスペクト比１６：９で表示を行う（ワイド表示、レターボックス表示）場合は、１ラインから３０ラインまでで上余白領域を構成し、２１１ラインから２４０ラインまでで下余白領域を構成し、３１ラインから２１０ラインまでに対応する中央領域に表示を行う。そして、上余白領域においてライン番号の若い方から駆動を行い、上余白領域での駆動に同期させて下余白領域においてライン番号の若い方から駆動を行い、続けて中央領域においてライン番号の若い方から駆動を行うようになっている。
【００５３】
アスペクト比１６：９で表示を行う場合の駆動順序を上記のようにし、そして、シフトレジスタＳＲ（２１１）とシフトレジスタＳＲ（２１２）を、走査線Ｙ（２１１）と走査線Ｙ（２１２）を駆動するために用いた場合は、これらのシフトレジスタＳＲ（２１１）とシフトレジスタＳＲ（２１２）は、同一フィールド期間の最初に動作することになる。  一方、単位回路ＣＤ（２０９）と単位回路ＣＤ（２１０）は同一フィールド期間の最後において動作する。
【００５４】
したがって、前記のシフトレジスタＳＲ（２１１）とシフトレジスタＳＲ（２１２）で単位回路ＣＤ（２０９）と単位回路ＣＤ（２１０）を動作させると、ライン２０９とライン２１０における、走査線Ｙの駆動タイミングと蓄積容量線ＣＬの駆動タイミングとの時間差が、他のラインにおけるものと異なってしまうので、シフトレジスタＳＲ（２１０）の次段には、シフトレジスタＳＲ（２１１）とは別に、単位回路ＣＤ（２１１）を動作させるためだけのシフトレジスタＳＲＢ１が設けられ、また、シフトレジスタＳＲＢ１の次段に、シフトレジスタＳＲ（２１２）とは別に、単位回路ＣＤ（２１２）を動作させるためだけのシフトレジスタＳＲＢ２が設けられている。
【００５５】
アスペクト比切替スイッチＡＳＷは、シフトレジスタＳＲ（２１１）を動作させる信号の供給元を切り替えるものであり、シフトレジスタＳＲ（２１０）がシフトレジスタＳＲＢ１を動作させるときの信号線に接続された端子ＡＳＷ１と、垂直同期信号が与えられる信号線に接続された端子ＡＳＷ２と、シフトレジスタＳＲ（２１１）を動作させる信号線に接続された端子ＡＳＷ３とを有する。通常時は、端子ＡＳＷ３と端子ＡＳＷ１とが導通することで、シフトレジスタＳＲ（２１０）がシフトレジスタＳＲ（２１１）を動作させる。一方、アスペクト比１６：９で表示を行わせるためのワイド制御信号が液晶表示装置１へ与えられたときは、端子ＡＳＷ２と端子ＡＳＷ３とが導通することで、垂直同期信号がシフトレジスタＳＲ（２１１）を動作させるようになっている。
【００５６】
また、各信号線ＸにスイッチＰＳＷを介してプリチャージ用の共通配線ＰＬが接続されており、共通配線ＰＬは、前述の対向基板において全ての画素電極Ｐに対向するように設けられた１枚の対向電極（図示せず）に接続されている。そして、対向電極には、例えば直流電圧が与えられている。
【００５７】
（第１の実施の形態での動作：アスペクト比４：３の場合）
まず、液晶表示装置１がアスペクト比４：３で表示を行う場合、すなわち通常時における動作を図１と図２を参照して説明する。
【００５８】
図２は、液晶表示装置１における走査線Ｙと蓄積容量線ＣＬの電圧波形、具体的には、ｎ−１ラインからｎ＋１ラインまでの走査線Ｙの電圧波形と、ｎ−１ラインからｎ＋１ラインまでの蓄積容量線ＣＬに印加される補償電圧の電圧波形とを示す図である。
【００５９】
通常時の液晶表示装置１には、図１に示すワイド制御信号が与えられておらず、アスペクト比切替スイッチＡＳＷの端子ＡＳＷ１および端子ＡＳＷ３が導通している。ここで垂直同期信号が入力されると、この垂直同期信号がシフトレジスタＳＲ（１）を動作させる。例えば、図２に記載した、ｎ−１ラインを構成する走査線Ｙの電圧波形に示すように、シフトレジスタＳＲ（１）が動作しているときは走査線Ｙ（１）の電圧が高電圧Ｖｇｈになり、走査線Ｙ（１）に接続された画素トランジスタＱが導通する。これにより、映像信号が画素トランジスタＱを介して画素電極Ｐに供給される。
【００６０】
また、蓄積容量線ＣＬ（１）には、映像信号の極性に対応する補償電圧が印加される。そして、走査線Ｙ（１）の電圧が高電圧Ｖｇｈとなる直前の蓄積容量線（１）の補償電圧が、走査線Ｙ（１）の電圧が高電圧Ｖｇｈである期間中において維持される。例えば、図２に記載した、ｎ−１ラインの蓄積容量線ＣＬに印加される補償電圧の電圧波形に示すように、走査線Ｙ（１）の電圧が高電圧Ｖｇｈとなる前に、補償電圧が低電圧Ｖｅｌであれば、走査線Ｙ（１）の電圧が高電圧Ｖｇｈである期間中、その低電圧Ｖｅｌが維持される。
【００６１】
走査線Ｙ（１）の電圧が高電圧Ｖｇｈになってから、水平走査期間ＨＴ１（例えば、約６３．６μＳであり、以下、アスペクト比４：３の場合において同じである。）が経過すると、走査線Ｙ（１）の電圧が低電圧Ｖｇｌとなり、シフトレジスタＳＲ（１）がシフトレジスタＳＲ（２）を動作させる。例えば、図２に記載した、ｎラインを構成する走査線Ｙの電圧波形に示すように、シフトレジスタＳＲ（２）が動作しているときは走査線Ｙ（２）の電圧が高電圧Ｖｇｈになり、走査線Ｙ（２）に接続された画素トランジスタＱが導通する。
【００６２】
また、走査線Ｙ（２）の電圧が高電圧Ｖｇｈとなる直前の蓄積容量線（２）の補償電圧が、走査線Ｙ（２）の電圧が高電圧Ｖｇｈである期間中において維持される。例えば、図２に記載した、ｎラインの蓄積容量線ＣＬに印加される補償電圧の電圧波形に示すように、走査線Ｙ（２）の電圧が高電圧Ｖｇｈとなる直前に、補償電圧が高電圧Ｖｅｈであれば、走査線Ｙ（２）の電圧が高電圧Ｖｇｈである期間中、その高電圧Ｖｅｈが維持される。
【００６３】
そして、走査線Ｙ（２）の電圧が高電圧Ｖｇｈになってから、水平走査期間ＨＴ１が経過すると、走査線Ｙ（２）の電圧が低電圧Ｖｇｌとなり、シフトレジスタＳＲ（２）がシフトレジスタＳＲ（３）を動作させる。例えば、図２に記載した、ｎ＋１ラインを構成する走査線Ｙの電圧波形に示すように、シフトレジスタＳＲ（３）が動作しているときは走査線Ｙ（３）の電圧が高電圧Ｖｇｈになり、走査線Ｙ（３）に接続された画素トランジスタＱが導通する。
【００６４】
また、走査線Ｙ（３）の電圧が高電圧Ｖｇｈとなる直前の蓄積容量線（３）の補償電圧が、走査線Ｙ（３）の電圧が高電圧Ｖｇｈである期間中において維持される。例えば、図２に記載した、ｎ＋１ラインの蓄積容量線ＣＬに印加される補償電圧の電圧波形に示すように、走査線Ｙ（３）の電圧が高電圧Ｖｇｈとなる直前に、補償電圧が低電圧Ｖｅｌであれば、走査線Ｙ（３）の電圧が高電圧Ｖｇｈである期間中、その低電圧Ｖｅｌが維持される。
【００６５】
また、走査線Ｙ（２）の電圧が高電圧Ｖｇｈになってから、水平走査期間ＨＴ１が経過すると、シフトレジスタＳＲ（３）の出力、すなわち、走査線Ｙ（３）の電圧の立ち上がりのタイミングで、単位回路ＣＤ（１）が動作して、自身に接続された蓄積容量線ＣＬ（１）の補償電圧を切り替える。
【００６６】
同様に、走査線Ｙ（３）以降の各走査線Ｙの電圧が高電圧Ｖｇｈになってから、水平走査期間ＨＴ１が経過すると、各シフトレジスタが次段のシフトレジスタを動作させる。また、各走査線Ｙの電圧が高電圧Ｖｇｈとなる直前における、対応する蓄積容量線ＣＬの補償電圧が、当該走査線Ｙの電圧が高電圧Ｖｇｈである期間中において維持される。また、シフトレジスタＳＲ（４）以降の各シフトレジスタＳＲの出力の立ち上がりのタイミングで、単位回路ＣＤ（２）以降の各単位回路ＣＤが動作する。
【００６７】
そして、走査線Ｙ（２１０）の電圧が高電圧Ｖｇｈになってから、水平走査期間ＨＴ１が経過すると、走査線Ｙ（２１０）の電圧が低電圧Ｖｇｌとなり、シフトレジスタＳＲ（２１０）がシフトレジスタＳＲ（２１１）とシフトレジスタＳＲＢ１を動作させる。
【００６８】
シフトレジスタＳＲ（２１１）が動作しているときは走査線Ｙ（２１１）の電圧が高電圧Ｖｇｈになり、走査線Ｙ（２１１）に接続された画素トランジスタＱが導通する。
【００６９】
また、走査線Ｙ（２１１）の電圧が高電圧Ｖｇｈとなる直前の蓄積容量線（２１１）の補償電圧が、走査線Ｙ（２１１）の電圧が高電圧Ｖｇｈである期間中において維持される。
【００７０】
また、走査線Ｙ（２１０）の電圧が高電圧Ｖｇｈになってから、水平走査期間ＨＴ１が経過すると、シフトレジスタＳＲＢ１の出力の立ち上がりのタイミングで、単位回路ＣＤ（２０９）が動作して、自身に接続された蓄積容量線ＣＬ（２０９）の補償電圧を切り替える。これにより、他の蓄積容量線ＣＬと同様に、蓄積容量線ＣＬ（２０９）の補償電圧を２段後のシフトレジスタＳＲの立ち上がりのタイミングで切り替えることができる。
【００７１】
そして、走査線Ｙ（２１１）の電圧が高電圧Ｖｇｈになってから、水平走査期間ＨＴ１が経過すると、走査線Ｙ（２１１）の電圧が低電圧Ｖｇｌとなり、シフトレジスタＳＲ（２１１）とシフトレジスタＳＲＢ１がそれぞれシフトレジスタＳＲ（２１２）とシフトレジスタＳＲＢ２動作させる。
【００７２】
シフトレジスタＳＲ（２１２）が動作しているときは走査線Ｙ（２１２）の電圧が高電圧Ｖｇｈになり、走査線Ｙ（２１２）に接続された画素トランジスタＱが導通する。
【００７３】
また、走査線Ｙ（２１２）の電圧が高電圧Ｖｇｈとなる直前の蓄積容量線（２１２）の補償電圧が、走査線Ｙ（２１２）の電圧が高電圧Ｖｇｈである期間中において維持される。
【００７４】
また、走査線Ｙ（２１１）の電圧が高電圧Ｖｇｈになってから、水平走査期間ＨＴ１が経過すると、シフトレジスタＳＲＢ２の出力の立ち上がりのタイミングで、単位回路ＣＤ（２１０）が動作して、自身に接続された蓄積容量線ＣＬ（２１０）の補償電圧を切り替える。これにより、他の蓄積容量線ＣＬと同様に、蓄積容量線ＣＬ（２１０）の補償電圧を２段後のシフトレジスタＳＲの立ち上がりのタイミングで切り替えることができる。
【００７５】
同様に、走査線Ｙ（２１２）以降の各走査線Ｙの電圧が高電圧Ｖｇｈになってから、１水平走査期間ＨＴ１が経過すると、各シフトレジスタが次段のシフトレジスタを動作させる。また、各走査線Ｙの電圧が高電圧Ｖｇｈとなる直前における、対応する蓄積容量線ＣＬの補償電圧が、当該走査線Ｙの電圧が高電圧Ｖｇｈである期間中において維持される。また、シフトレジスタＳＲ（２１３）以降の各シフトレジスタＳＲの出力の立ち上がりのタイミングで、単位回路ＣＤ（２１１）以降の各単位回路ＣＤが動作する。
【００７６】
そして、走査線Ｙ（２４０）の電圧が高電圧Ｖｇｈになってから、水平走査期間ＨＴ１が経過すると、走査線Ｙ（２４０）の電圧が低電圧Ｖｇｌとなり、シフトレジスタＳＲ（２４０）がシフトレジスタＳＲＡ１を動作させ、シフトレジスタＳＲＡ１の出力の立ち上がりのタイミングで、単位回路ＣＤ（２３９）が動作し、自身に接続された蓄積容量線ＣＬ（２３９）の補償電圧を切り替える。
【００７７】
。
【００７８】
そして、シフトレジスタＳＲＡ１が動作してから、水平走査期間ＨＴ１が経過すると、シフトレジスタＳＲＡ１がシフトレジスタＳＲＡ２を動作させ、シフトレジスタＳＲＡ２の出力の立ち上がりのタイミングで、単位回路ＣＤ（２４０）が動作し、自身に接続された蓄積容量線ＣＬ（２４０）の補償電圧を切り替える。
【００７９】
。
【００８０】
以上のようにして、液晶表示装置１では、同一フィールド期間において、走査線Ｙ（１）および蓄積容量線ＣＬ（１）から、走査線Ｙ（２４０）および蓄積容量線ＣＬ（２４０）までが順次に駆動されることで、アスペクト比４：３の表示が行われる。
【００８１】
図３は、液晶表示装置１がアスペクト比４：３で表示を行う場合のラインの極性を示す模式図である。図３の、例えば「（Ｎ）フィールドの各ライン極性」に示すように、同一フィールド期間において、ある走査線Ｙに対応するラインの極性は、それより水平走査期間ＨＴ１前に駆動されるラインの極性に対して逆極性になる。
【００８２】
そして、直後のフィールド期間においては、液晶表示装置１は、直前のフィールド期間とほぼ同様に動作するが、例えば、図２に記載した、ｎ−１ラインを構成する走査線Ｙの電圧波形に示すように、直前のフィールド期間における切り替え時から維持していた、各蓄積容量線ＣＬの補償電圧を、２段後のシフトレジスタＳＲの出力の立ち上がり、すなわち、２段後の走査線Ｙの電圧の立ち上がりのタイミングで逆方向に切り替える。
【００８３】
図３の「（Ｎ）フィールドの各ライン極性」における、あるライン（例えば、走査線Ｙ（１）のライン）の極性と、「（Ｎ＋１）フィールドの各ライン極性」における、当該ライン（走査線Ｙ（１）のライン）の極性とを比較して分かるように、同一ラインの極性は１フィールド期間ごとに反転する。
【００８４】
（第１の実施の形態での動作：アスペクト比１６：９の場合）
次に、液晶表示装置１がアスペクト比１６：９で表示を行う場合の動作を図１を参照して説明する。
【００８５】
（余白領域での動作）
液晶表示装置１では、ワイド制御信号が与えられると、アスペクト比切替スイッチＡＳＷの端子ＡＳＷ２と端子ＡＳＷ３とが導通する。ここで垂直同期信号が入力されると、この垂直同期信号がシフトレジスタＳＲ（１）とシフトレジスタＳＲ（２１１）を動作させる。なお、アスペクト比１６：９の場合、垂直同期信号は、余白領域の駆動に要する時間だけ、アスペクト比４：３の場合よりも早く与えられる。
【００８６】
シフトレジスタＳＲ（１）とシフトレジスタＳＲ（２１１）が動作しているときは走査線Ｙ（１）と走査線Ｙ（２１１）の電圧が高電圧Ｖｇｈになり、走査線Ｙ（１）と走査線Ｙ（２１１）に接続された画素トランジスタＱが導通する。
【００８７】
また、走査線Ｙ（１）と走査線Ｙ（２１１）の電圧が高電圧Ｖｇｈとなる直前の、蓄積容量線（１）と蓄積容量線（２１１）の補償電圧が、走査線Ｙ（１）と走査線Ｙ（２１１）の電圧が高電圧Ｖｇｈである期間中において維持される。
【００８８】
そして、走査線Ｙ（１）と走査線Ｙ（２１１）の電圧が高電圧Ｖｇｈになってから、水平走査期間ＨＴ１１（例えば、約４６．７μＳであり、以下、液晶表示装置１がアスペクト比１６：９で表示を行う場合の余白領域において同じである。）が経過すると、走査線Ｙ（１）と走査線Ｙ（２１１）の電圧が低電圧Ｖｇｌとなり、シフトレジスタＳＲ（１）とシフトレジスタＳＲ（２１１）がそれぞれシフトレジスタＳＲ（２）とシフトレジスタＳＲ（２１２）を動作させる。
【００８９】
シフトレジスタＳＲ（２）とシフトレジスタＳＲ（２１２）が動作しているときは走査線Ｙ（２）と走査線Ｙ（２１２）の電圧が高電圧Ｖｇｈになり、走査線Ｙ（２）と走査線Ｙ（２１２）に接続された画素トランジスタＱが導通する。
【００９０】
また、走査線Ｙ（２）と走査線Ｙ（２１２）の電圧が高電圧Ｖｇｈとなる直前の、蓄積容量線（２）と蓄積容量線（２１２）の補償電圧が、走査線Ｙ（２）と走査線Ｙ（２１２）の電圧が高電圧Ｖｇｈである期間中において維持される。
【００９１】
そして、走査線Ｙ（２）と走査線Ｙ（２１２）の電圧が高電圧Ｖｇｈになってから、水平走査期間ＨＴ１１が経過すると、走査線Ｙ（２）と走査線Ｙ（２１２）の電圧が低電圧Ｖｇｌとなり、シフトレジスタＳＲ（２）とシフトレジスタＳＲ（２１２）がそれぞれシフトレジスタＳＲ（３）とシフトレジスタＳＲ（２１３）を動作させる。
【００９２】
シフトレジスタＳＲ（３）とシフトレジスタＳＲ（２１３）が動作しているときは走査線Ｙ（３）と走査線Ｙ（２１３）の電圧が高電圧Ｖｇｈになり、走査線Ｙ（３）と走査線Ｙ（２１３）に接続された画素トランジスタＱが導通する。
【００９３】
また、走査線Ｙ（３）と走査線Ｙ（２１３）の電圧が高電圧Ｖｇｈとなる直前の、蓄積容量線（３）と蓄積容量線（２１３）の補償電圧が、走査線Ｙ（３）と走査線Ｙ（２１３）の電圧が高電圧Ｖｇｈである期間中において維持される。
【００９４】
また、走査線Ｙ（２）と走査線Ｙ（２１２）の電圧が高電圧Ｖｇｈになってから、水平走査期間ＨＴ１１が経過すると、シフトレジスタＳＲ（３）とシフトレジスタＳＲ（２１３）の出力、すなわち、走査線Ｙ（３）と走査線Ｙ（２１３）の電圧の立ち上がりのタイミングで、単位回路ＣＤ（１）と単位回路ＣＤ（２１１）が動作して、自身に接続された蓄積容量線ＣＬ（１）と蓄積容量線ＣＬ（２１１）の補償電圧を切り替える。
【００９５】
同様に、走査線Ｙ（３）と走査線Ｙ（２１３）以降の各走査線Ｙの電圧が高電圧Ｖｇｈになってから、水平走査期間ＨＴ１１が経過すると、各シフトレジスタが次段のシフトレジスタを動作させる。また、各走査線Ｙの電圧が高電圧Ｖｇｈとなる直前における、対応する蓄積容量線ＣＬの補償電圧が、当該走査線Ｙの電圧が高電圧Ｖｇｈである期間中において維持される。また、シフトレジスタＳＲ（４）とシフトレジスタＳＲ（２１４）以降の各シフトレジスタＳＲの出力の立ち上がりのタイミングで、単位回路ＣＤ（２）と単位回路ＣＤ（２１２）以降の各単位回路ＣＤが動作する。
【００９６】
そして、走査線Ｙ（３０）と走査線Ｙ（２４０）の電圧が高電圧Ｖｇｈになってから、水平走査期間ＨＴ１１が経過すると、走査線Ｙ（３０）と走査線Ｙ（２４０）の電圧が低電圧Ｖｇｌとなり、シフトレジスタＳＲ（３０）とシフトレジスタＳＲ（２４０）がそれぞれシフトレジスタＳＲ（３１）とシフトレジスタＳＲＡ１を動作させ、このシフトレジスタＳＲ（３１）とシフトレジスタＳＲＡ１の出力の立ち上がりのタイミングで、それぞれ単位回路ＣＤ（２９）と単位回路ＣＤ（２３９）が動作し、自身に接続された蓄積容量線ＣＬ（２９）と蓄積容量線ＣＬ（２３９）の補償電圧を切り替える。
【００９７】
そして、シフトレジスタＳＲ（３１）とシフトレジスタＳＲＡ１が動作してから、水平走査期間ＨＴ１２（詳しくは後述する）が経過すると、シフトレジスタＳＲ（３１）とシフトレジスタＳＲＡ１が、それぞれシフトレジスタＳＲ（３２）とシフトレジスタＳＲＡ２を動作させ、シフトレジスタＳＲ（３２）とシフトレジスタＳＲＡ２の出力の立ち上がりのタイミングで、それぞれ単位回路ＣＤ（３０）と単位回路ＣＤ（２４０）が動作し、自身に接続された蓄積容量線ＣＬ（３０）と蓄積容量線ＣＬ（２４０）の補償電圧を切り替える。
【００９８】
このようにして余白領域が駆動されるが、液晶に印加される電圧の振幅を同一にすることで、余白領域が同一色に表示される。
【００９９】
（中央領域での動作）
前述のようにシフトレジスタＳＲ（３１）が動作しているときは、走査線Ｙ（３１）の電圧が高電圧Ｖｇｈになり、走査線Ｙ（３１）に接続された画素トランジスタＱが導通する。
【０１００】
また、走査線Ｙ（３１）の電圧が高電圧Ｖｇｈとなる直前の、蓄積容量線（３１）の補償電圧が、走査線Ｙ（３１）の電圧が高電圧Ｖｇｈである期間中において維持される。
【０１０１】
そして、前述のようにシフトレジスタＳＲ（３２）が動作しているときは、走査線Ｙ（３２）の電圧が高電圧Ｖｇｈになり、走査線Ｙ（３２）に接続された画素トランジスタＱが導通する。
【０１０２】
また、走査線Ｙ（３２）の電圧が高電圧Ｖｇｈとなる直前の、蓄積容量線（３２）の補償電圧が、走査線Ｙ（３２）の電圧が高電圧Ｖｇｈである期間中において維持される。
【０１０３】
なお、前述したように、シフトレジスタＳＲ（３１）とシフトレジスタＳＲＡ１が動作してから、水平走査期間ＨＴ１２が経過すると、シフトレジスタＳＲ（３１）とシフトレジスタＳＲＡ１が、それぞれシフトレジスタＳＲ（３２）とシフトレジスタＳＲＡ２を動作させるのだが、この水平走査期間ＨＴ１２は、アスペクト比１６：９の場合の中央領域における水平走査期間を示すものである。アスペクト比４：３の画面に表示を行う場合と同様に、中央領域の表示を完了するには１５．３ｍｓの時間を要する。
【０１０４】
このようにして、走査線Ｙ（３２）以降の各走査線Ｙの電圧が高電圧Ｖｇｈになってから、水平走査期間ＨＴ１２が経過すると、各シフトレジスタが次段のシフトレジスタを動作させる。また、各走査線Ｙの電圧が高電圧Ｖｇｈとなる直前における、対応する蓄積容量線ＣＬの補償電圧が、当該走査線Ｙの電圧が高電圧Ｖｇｈである期間中において維持される。また、シフトレジスタＳＲ（３３）以降の各シフトレジスタＳＲの出力の立ち上がりのタイミングで、単位回路ＣＤ（３１）以降の各単位回路ＣＤが動作する。
【０１０５】
そして、走査線Ｙ（２１０）の電圧が高電圧Ｖｇｈになってから、水平走査期間ＨＴ１２が経過すると、走査線Ｙ（２１０）の電圧が低電圧Ｖｇｌとなり、シフトレジスタＳＲ（２１０）がシフトレジスタＳＲＢ１を動作させ、シフトレジスタＳＲＢ１の出力の立ち上がりのタイミングで、単位回路ＣＤ（２０９）が動作して、自身に接続された蓄積容量線ＣＬ（２０９）の補償電圧を切り替える。これにより、他の蓄積容量線ＣＬと同様に、蓄積容量線ＣＬ（２０９）の補償電圧を２段後のシフトレジスタＳＲの立ち上がりのタイミングで切り替えることができる。
【０１０６】
そして、シフトレジスタＳＲＢ１が動作してから、水平走査期間ＨＴ２が経過すると、シフトレジスタＳＲＢ１がシフトレジスタＳＲＢ２を動作させ、シフトレジスタＳＲＢ２の出力の立ち上がりのタイミングで、単位回路ＣＤ（２１０）が動作して、自身に接続された蓄積容量線ＣＬ（２１０）の補償電圧を切り替える。これにより、他の蓄積容量線ＣＬと同様に、蓄積容量線ＣＬ（２１０）の補償電圧を２段後のシフトレジスタＳＲの立ち上がりのタイミングで切り替えることができる。
【０１０７】
以上のようにして、液晶表示装置１では、同一フィールド期間において、走査線Ｙ（１）および蓄積容量線ＣＬ（１）から、走査線Ｙ（３０）および蓄積容量線ＣＬ（３０）までが順次に駆動され、これに同期して、走査線Ｙ（２１１）および蓄積容量線ＣＬ（２１１）から、走査線Ｙ（２４０）および蓄積容量線ＣＬ（２４０）までが順次に駆動され、その後、走査線Ｙ（３１）および蓄積容量線ＣＬ（３１）から、走査線Ｙ（２１０）および蓄積容量線ＣＬ（２１０）までが順次に駆動されることで、アスペクト比１６：９の表示が行われる。
【０１０８】
なお、垂直ブランキング期間（数ｍｓ）の経過後に訪れる、直後のフィールド期間において液晶表示装置１は、直前のフィールド期間とほぼ同様に動作するが、直前のフィールド期間における切り替え時から維持していた、各蓄積容量線ＣＬの補償電圧を、２段後のシフトレジスタＳＲの出力の立ち上がりのタイミングで切り替える。
【０１０９】
図４は、液晶表示装置１がアスペクト比１６：９で表示を行う場合のラインの極性を示す模式図である。
【０１１０】
例えば、「（Ｎ）フィールドの各ライン極性」において、前後するラインの極性同士を比較して分かるように、液晶表示装置１がアスペクト比１６：９で表示を行う場合にも、１水平走査期間ライン反転駆動が行われる。また、「（Ｎ）フィールドの各ライン極性」における、あるラインの極性と、「（Ｎ＋１）フィールドの各ライン極性」における、当該ラインの極性とを比較して分かるように、ラインの極性は１フィールド期間ごとに反転する。
【０１１１】
ここで、液晶表示装置１がアスペクト比１６：９で表示を行う場合の駆動時間の合計は以下のようになる。
【０１１２】
液晶表示装置１では、上余白領域、下余白領域をそれぞれ３０の走査線で構成し、この領域を水平走査期間ＨＴ１１＝約４６．７μＳで同期させて駆動しているので、余白領域の駆動時間は、約４６．７μＳ×３０＝約１．４ｍｓとなる。アスペクト比１６：９で表示する場合の余白領域での駆動周波数は、アスペクト比４：３の画面を駆動する場合の駆動周波数の約１．３６倍に抑えることができる。
【０１１３】
しかも、余白領域の駆動時間が約１．４ｍｓとなるので、上余白領域、下余白領域および中央領域を合わせた駆動時間が１６．７ｍｓ（１．４ｍｓ＋１５．３ｍｓ）となり、１フィールド期間（＝１６．７ｍｓ）を超えることなく上余白領域、下余白領域および中央領域を駆動することができる。
【０１１４】
さて、ここまでは、アスペクト比４：３の場合と、アスペクト比１６：９の場合とを分けて説明したが、いずれの場合においても、画素電極に映像信号が書き込まれた後に画素トランジスタがオフとなり、しかも対向電極に対して画素電極が正極性であるときの液晶の電圧Ｖｌｃを電圧Ｖｌｃ（＋）とし、対向電極に対して負極性のときの電圧Ｖｌｃを電圧Ｖｌｃ（−）とすると、電圧Ｖｌｃ（＋）と電圧Ｖｌｃ（−）は、それぞれ式（１）、式（２）で示すようになる。
【０１１５】
Ｖｌｃ（＋）＝Ｖｓ−Ｖｃｏｍ＋{Ｃｓｔ×（Ｖｅｈ−Ｖｅｌ）
−Ｃｇｄ×（Ｖｇｈ−Ｖｇｌ）}／（Ｃｓｔ＋Ｃｌｃ＋Ｃｇｄ）  …（１）
Ｖｌｃ（−）＝Ｖｓ−Ｖｃｏｍ−{Ｃｓｔ×（Ｖｅｈ−Ｖｅｌ）
＋Ｃｇｄ×（Ｖｇｈ−Ｖｇｌ）}／（Ｃｓｔ＋Ｃｌｃ＋Ｃｇｄ）  …（２）
ここで、Ｖｓは映像信号の電圧、Ｖｃｏｍは対向電極の電圧、Ｖｅｈは補償電圧（蓄積容量線）が高電圧のときの電圧、Ｖｅｌは補償電圧（蓄積容量線）が低電圧のときの電圧、Ｖｇｈはゲート（走査線）が高電圧のときの電圧、Ｖｇｌはゲート（走査線）が低電圧のときの電圧、Ｃｇｄは、ゲートドレイン間容量、Ｃｓｔは補助容量Ｃの容量、Ｃｌｃは液晶の容量である。
【０１１６】
液晶表示装置１では、補償電圧ＶｅｈとＶｅｌとが適切に設定され、これにより電圧Ｖｌｃ（＋）と電圧Ｖｌｃ（−）の実効値同士が等しくなって交流駆動が行われる。つまり、液晶に直流電圧が印加されないので、これにより、フリッカや液晶の焼き付きを防止することができる。
【０１１７】
また、液晶表示装置１では、蓄積容量線ＣＬに印加する補償電圧を映像信号の極性に応じて切り替えているので、液晶材料の誘電率異方性に起因する容量結合電圧の動的挙動により、表示画像が変化した場合、その変化を増幅する方向へ自動的にオーバードライブ電圧が印加され、液晶の高速応答駆動を実現でき、液晶表示装置の動画視認性を向上できる。
【０１１８】
また、液晶表示装置１では、画素電極の電圧に補償電圧を重畳させるので、映像信号の振幅を小さくすることができ、これにより、消費電力を低減させることができる。
【０１１９】
また、映像信号の振幅を小さくできるため、クロストークの発生原因となる、蓄積容量線や対向電極の電位変動を小さくすることができる。
【０１２０】
また、液晶表示装置１では、垂直ブランキング期間においてスイッチＰＳＷをオンすることで、画素電極Ｐは映像信号書き込み前に予め対向電極の電位で予備充電されており、映像信号書き込み時の信号線電位変化を小さく抑え、充放電電流を低減することができるため、表示ムラなどを軽減し表示品質を向上させることができる。
【０１２１】
また、補償電圧を切り替えているので、対向電極に直流電圧を加えておき、画素電極Ｐへの予備充電はこの直流電圧で行えばよく、よって、予備充電のための回路構成を簡素化できる。また、容量負荷の大きい対向電極を交流駆動する必要がないので、省電力化が図れる。
【０１２２】
以上説明したように、液晶表示装置１によれば、上余白領域での駆動と、下余白領域での駆動とを同期させることで、余白領域で高い駆動周波数が必要なく、よって、画素電極が十分に充電されて高い表示品質を維持できる。また、駆動系、メモリ、スキャンコンバータなどが不要で簡易な構成にでき、よって消費電力を少なくできる。また、蓄積容量線ＣＬの駆動により応答性を高めることができる。
【０１２３】
また、液晶表示装置１によれば、２つの補償電圧を同一フィールド期間中の同一タイミングで切り替えながら同一の蓄積容量線に印加することで、液晶の電圧が正極性および負極性となったときの実効電圧同士を等しくでき、これにより、液晶全体における電界の分布が一様になるので、局所的な表示ムラ、フリッカーおよび焼きつきの発生を防止することができる。
【０１２４】
また、液晶表示装置１によれば、中央領域で後に駆動される蓄積容量線ＣＤ（２０９）および蓄積容量線ＣＤ（２１０）を除いては、蓄積容量線ＣＤに対応する単位回路を、走査線Ｙを駆動するシフトレジスタＳＲの一部が動作させるようになっており、これらの蓄積容量線ＣＤを駆動する単位回路ＣＤ（２０９）および単位回路ＣＤ（２１０）を動作させるシフトレジスタＳＲＢ１およびシフトレジスタＳＲＢ２を備えたことで、蓄積容量線ＣＬ（２０９）と蓄積容量線ＣＬ（２１０）とを他の蓄積容量線と同様に駆動でき、つまり、蓄積容量線ＣＬ（２０９）および蓄積容量線ＣＬ（２１０）に印加される補償電圧を切り替えるタイミングを、他の蓄積容量線ＣＬに印加される補償電圧を切り替えるタイミングと同様に、２段後のシフトレジスタＳＲの出力の立ち上がりのタイミングにできるので、２０９ラインと２１０ラインの液晶に印加される実効電圧を他のラインの液晶に印加される実効電圧に等しくできる。その結果、２０９ラインと２１０ラインの部分を含めた液晶全体における電界の分布が一様な交流分布になるので、局所的な表示ムラ、フリッカーおよび焼きつきの発生を防止することができる。
【０１２５】
なお、液晶表示装置１において、単位回路ＣＤが自身に接続された蓄積容量線ＣＬの補償電圧を切り替えるタイミングは、上記のように、対応する走査線の電圧が高電圧Ｖｇｈとなってから水平走査期間ＨＴ１１またはＨＴ１２の２倍の時間経過後としなくても、２つの補償電圧を同一フィールド期間中の同一タイミングで切り替えながら同一の蓄積容量線に印加すればよい。よって、切り替えのタイミングは、対応する走査線の電圧が高電圧Ｖｇｈとなってから水平走査期間ＨＴ１１またはＨＴ１２の時間経過後、あるいは３倍の時間経過後、４倍の時間経過後などでもよい。この場合、シフトレジスタＳＲＢ１やシフトレジスタＳＲＢ２の役割を担うシフトレジスタ、つまり中央領域で最後に駆動される蓄積容量線に対応する単位回路を動作させるシフトレジスタは１つあるいは３以上設けられることとなる。
【０１２６】
ところで、図４に示すように、液晶表示装置１では、アスペクト比１６：９で表示を行う場合、同一フィールド期間で最初に駆動される走査線が走査線Ｙ（１）と走査線Ｙ（２１１）であり、同一フィールド期間で最後に駆動される走査線Ｙは、走査線Ｙ（２１１）に隣り合う走査線Ｙ（２１０）である。
【０１２７】
そして、走査線Ｙ（２１１）により構成される２１１ラインの極性を「正極性（＋）」とすると、走査線Ｙ（２１０）により構成される２１０ラインの極性は「負極性（−）」となっており、このように、隣合うラインの極性同士を反転させることに表示ムラの防止効果などが得られる。
【０１２８】
しかし、各ラインの極性は、１フィールド期間ごとに反転するので、垂直ブランキング期間（数ｍｓ）の経過後に訪れる、直後のフィールド期間においては、２１１ラインの極性は「負極性（−）」となる。
【０１２９】
この場合、２１０ラインと２１１ライン（隣合うライン）の極性同士が反転しておらず、しかも、極性同士が反転していない状態は、次に２１０ラインの極性を「正極性（＋）」とするまでの長期間（約１３ｍｓ）において継続するので、表示ムラなどの発生が懸念される。
【０１３０】
（第２の実施の形態）
図５は、第２の実施の形態に係る液晶表示装置（液晶表示装置１Ａという）の回路と駆動順序を示す図である。
【０１３１】
液晶表示装置１Ａでは、液晶表示装置１の構成要素に加え、シフトレジスタＳＲＣを備えており、垂直同期信号がシフトレジスタＳＲＣを動作させ、このシフトレジスタＳＲＣがシフトレジスタＳＲ（１）を動作させるようになっている。
【０１３２】
すなわち、シフトレジスタＳＲ（１）による走査線Ｙ（１）の駆動が、例えば水平走査期間ＨＴ２１（例えば、約４５．０μＳであり、液晶表示装置１Ａがアスペクト比１６：９で表示する場合の余白領域において同じである。）だけ遅れ、以降の走査線Ｙの駆動も同じだけ遅れることとなる。
【０１３３】
また、シフトレジスタＳＲ（３）の出力の立ち上がりのタイミングも、例えば水平走査期間ＨＴ２１だけ遅れるので、単位回路ＣＤ（１）の動作が同じだけ遅れ、以降の単位回路ＣＤの動作も同じだけ遅れることとなる。
【０１３４】
液晶表示装置１Ａがアスペクト比４：３で表示を行う場合は、各ラインの走査が、例えば水平走査期間ＨＴ２１だけ遅れことを除いては、液晶表示装置１がアスペクト比４：３で表示を行う場合と同様の動作がなされるので、この動作説明は省略する。
【０１３５】
また、液晶表示装置１Ａは液晶表示装置１の構成を備えるので、液晶表示装置１Ａで得られた効果を同様に得ることができる。
【０１３６】
（第２の実施の形態での動作：アスペクト比１６：９の場合）
次に、液晶表示装置１Ａがアスペクト比１６：９で表示を行う場合の動作を図５を参照して説明する。
【０１３７】
（余白領域での動作）
液晶表示装置１Ａでは、ワイド制御信号が与えられて、アスペクト比切替スイッチＡＳＷの端子ＡＳＷ２と端子ＡＳＷ３とが導通しているときに、垂直同期信号が入力されると、この垂直同期信号がシフトレジスタＳＲＣとシフトレジスタＳＲ（２１１）を動作させる。
【０１３８】
シフトレジスタＳＲＣとシフトレジスタＳＲ（２１１）が動作しているときは走査線Ｙ（２１１）の電圧が高電圧Ｖｇｈになり、走査線Ｙ（２１１）に接続された画素トランジスタＱが導通する。
【０１３９】
また、走査線Ｙ（２１１）の電圧が高電圧Ｖｇｈとなる直前の蓄積容量線（２１１）の補償電圧が、走査線Ｙ（２１１）の電圧が高電圧Ｖｇｈである期間中において維持される。
【０１４０】
そして、走査線Ｙ（２１１）の電圧が高電圧Ｖｇｈになってから、水平走査期間ＨＴ２１が経過すると、走査線Ｙ（２１１）の電圧が低電圧Ｖｇｌとなり、シフトレジスタＳＲＣとシフトレジスタＳＲ（２１１）がそれぞれシフトレジスタＳＲ（１）とシフトレジスタＳＲ（２１２）を動作させる。
【０１４１】
シフトレジスタＳＲ（１）とシフトレジスタＳＲ（２１２）が動作しているときは走査線Ｙ（１）と走査線Ｙ（２１２）の電圧が高電圧Ｖｇｈになり、走査線Ｙ（１）と走査線Ｙ（２１２）に接続された画素トランジスタＱが導通する。
【０１４２】
また、走査線Ｙ（１）と走査線Ｙ（２１２）の電圧が高電圧Ｖｇｈとなる直前の、蓄積容量線（１）と蓄積容量線（２１２）の補償電圧が、走査線Ｙ（１）と走査線Ｙ（２１２）の電圧が高電圧Ｖｇｈである期間中において維持される。
【０１４３】
そして、走査線Ｙ（１）と走査線Ｙ（２１２）の電圧が高電圧Ｖｇｈになってから、水平走査期間ＨＴ２１が経過すると、走査線Ｙ（１）と走査線Ｙ（２１２）の電圧が低電圧Ｖｇｌとなり、シフトレジスタＳＲ（１）とシフトレジスタＳＲ（２１２）がそれぞれシフトレジスタＳＲ（２）とシフトレジスタＳＲ（２１３）を動作させる。
【０１４４】
シフトレジスタＳＲ（２）とシフトレジスタＳＲ（２１３）が動作しているときは走査線Ｙ（２）と走査線Ｙ（２１３）の電圧が高電圧Ｖｇｈになり、走査線Ｙ（２）と走査線Ｙ（２１３）に接続された画素トランジスタＱが導通する。
【０１４５】
また、走査線Ｙ（２）と走査線Ｙ（２１３）の電圧が高電圧Ｖｇｈとなる直前の、蓄積容量線（２）と蓄積容量線（２１３）の補償電圧が、走査線Ｙ（２）と走査線Ｙ（２１３）の電圧が高電圧Ｖｇｈである期間中において維持される。
【０１４６】
また、走査線Ｙ（１）と走査線Ｙ（２１２）の電圧が高電圧Ｖｇｈになってから、水平走査期間ＨＴ２１が経過すると、シフトレジスタＳＲ（２）とシフトレジスタＳＲ（２１３）の出力、すなわち、走査線Ｙ（２）と走査線Ｙ（２１３）の電圧の立ち上がりのタイミングで、単位回路ＣＤ（２）と単位回路ＣＤ（２１１）が動作して、自身に接続された蓄積容量線ＣＬ（２）と蓄積容量線ＣＬ（２１１）の補償電圧を切り替える。
【０１４７】
同様に、走査線Ｙ（２）と走査線Ｙ（２１３）以降の各走査線Ｙの電圧が高電圧Ｖｇｈになってから、水平走査期間ＨＴ２１が経過すると、各シフトレジスタが次段のシフトレジスタを動作させる。また、各走査線Ｙの電圧が高電圧Ｖｇｈとなる直前における、対応する蓄積容量線ＣＬの補償電圧が、当該走査線Ｙの電圧が高電圧Ｖｇｈである期間中において維持される。また、シフトレジスタＳＲ（３）とシフトレジスタＳＲ（２１４）以降の各シフトレジスタＳＲの出力の立ち上がりのタイミングで、単位回路ＣＤ（１）と単位回路ＣＤ（２１２）以降の各単位回路ＣＤが動作する。
【０１４８】
そして、走査線Ｙ（２９）と走査線Ｙ（２４０）の電圧が高電圧Ｖｇｈになってから、水平走査期間ＨＴ２１が経過すると、走査線Ｙ（２９）と走査線Ｙ（２４０）の電圧が低電圧Ｖｇｌとなり、シフトレジスタＳＲ（２９）とシフトレジスタＳＲ（２４０）がそれぞれシフトレジスタＳＲ（３０）とシフトレジスタＳＲＡ１を動作させる。
【０１４９】
シフトレジスタＳＲ（３０）が動作しているときは走査線Ｙ（３０）の電圧が高電圧Ｖｇｈになり、走査線Ｙ（３０）に接続された画素トランジスタＱが導通する。
【０１５０】
また、走査線Ｙ（３０）の電圧が高電圧Ｖｇｈとなる直前の、蓄積容量線（３０）の補償電圧が、走査線Ｙ（３０）の電圧が高電圧Ｖｇｈである期間中において維持される。
【０１５１】
また、走査線Ｙ（２９）と走査線Ｙ（２４０）の電圧が高電圧Ｖｇｈになってから、水平走査期間ＨＴ２１が経過すると、シフトレジスタＳＲ（３０）とシフトレジスタＳＲＡ１の出力の立ち上がりのタイミングで、単位回路ＣＤ（２８）と単位回路ＣＤ（２３９）が動作して、自身に接続された蓄積容量線ＣＬ（２９）と蓄積容量線ＣＬ（２３９）の補償電圧を切り替える。
【０１５２】
そして、走査線Ｙ（３０）の電圧が高電圧Ｖｇｈになってから、水平走査期間Ｈ２１が経過すると、走査線Ｙ（３０）の電圧が低電圧Ｖｇｌとなり、シフトレジスタＳＲ（３０）とシフトレジスタＳＲＡ１がそれぞれシフトレジスタＳＲ（３１）とシフトレジスタＳＲＡ２を動作させ、シフトレジスタＳＲ（３１）とシフトレジスタＳＲＡ２の出力の立ち上がりのタイミングで、単位回路ＣＤ（２９）と単位回路ＣＤ（２４０）が動作して、自身に接続された蓄積容量線ＣＬ（２９）と蓄積容量線ＣＬ（２４０）の補償電圧を切り替える。
【０１５３】
そして、シフトレジスタＳＲ（３１）とシフトレジスタＳＲＡ２が動作してから、水平走査期間ＨＴ１２が経過すると、シフトレジスタＳＲ（３１）が、シフトレジスタＳＲ（３２）を動作させ、シフトレジスタＳＲ（３２）の出力の立ち上がりのタイミングで、それぞれ単位回路ＣＤ（３０）が動作し、自身に接続された蓄積容量線ＣＬ（３０）の補償電圧を切り替える。
【０１５４】
このようにして余白領域が駆動されるが、余白領域の液晶に印加される電圧の振幅を同一にすることで、余白領域が同一色に表示される。
【０１５５】
（中央領域での動作）
液晶表示装置１Ａがアスペクト比１６：９で表示を行う場合の中央領域での動作は、各ラインの駆動が水平走査期間ＨＴ２１だけ遅れことを除いては、液晶表示装置１がアスペクト比１６：９で表示を行う場合の中央領域での動作と同じなので、この動作説明は省略する。
【０１５６】
以上のようにして、液晶表示装置１Ａでは、同一フィールド期間において、走査線Ｙ（１）および蓄積容量線ＣＬ（１）から、走査線Ｙ（３０）および蓄積容量線ＣＬ（３０）までが順次に駆動され、これに同期して、走査線Ｙ（２１２）および蓄積容量線ＣＬ（２１２）から、走査線Ｙ（２４０）および蓄積容量線ＣＬ（２４０）までが順次に駆動され、その後、走査線Ｙ（３１）および蓄積容量線ＣＬ（３１）から、走査線Ｙ（２１０）および蓄積容量線ＣＬ（２１０）までが順次に駆動されることで、アスペクト比１６：９の表示が行われる。
【０１５７】
ここで、液晶表示装置１Ａがアスペクト比１６：９で表示を行う場合の駆動時間の合計は以下のようになる。
【０１５８】
液晶表示装置１Ａでは、上余白領域、下余白領域をそれぞれ３０の走査線で構成し、水平走査期間ＨＴ２１（＝４５．０μＳ）だけ駆動を遅らせた上で、この領域を水平走査期間ＨＴ２１で同期させて駆動しているので、余白領域の駆動時間は、約４５．０μＳ×３１＝約１．４ｍｓとなる。アスペクト比１６：９で表示する場合の余白領域での駆動周波数は、アスペクト比４：３の画面を駆動する場合の駆動周波数の約１．４１倍に抑えることができる。
【０１５９】
しかも、余白領域の駆動時間が約１．４ｍｓとなるので、上余白領域、下余白領域および中央領域を合わせた駆動時間が１６．７ｍｓ（１．４ｍｓ＋１５．３ｍｓ）となり、１フィールド期間（＝１６．７ｍｓ）を超えることなく上余白領域、下余白領域および中央領域を駆動することができる。
【０１６０】
図６は、液晶表示装置１Ａがアスペクト比１６：９で表示を行う場合のラインの極性を示す模式図である。
【０１６１】
液晶表示装置１Ａでは、シフトレジスタＳＲＣが設けられているので、２１１ラインの極性を「負極性（−）」とすると、２１０ラインの極性も「負極性（−）」となる。
【０１６２】
この場合、隣合うラインの極性同士が反転していないが、垂直ブランキング期間（数ｍｓ）の経過後に訪れる、直後のフィールド期間での２１１ラインの極性が「正極性（＋）」となり、２１０ラインと２１１ライン（隣合うライン）の極性同士が反転することとなる。この構成は、特に、垂直ブランキング期間が短く、１フィールドの書き込みが完了してから次の１フィールドの書き込みが開始するまでの時間が短いような場合において有効である。
【０１６３】
以上説明したように、液晶表示装置１Ａによれば、中央領域で最後に駆動される２１０ラインの極性と余白領域で最初に駆動され且つ当該ラインと隣り合う２１１ラインの極性とを互いに異なる極性にするシフトレジスタＳＲＣを備えたことで、これらのラインを含めた液晶全体における電界の分布が一様な交流分布になるので、液晶材料のもつ誘電率異方性による局所的な表示ムラ、フリッカーおよび焼きつきの発生を防止することができる。
【０１６４】
なお、垂直ブランキング期間が短い場合には、上記のように、垂直同期信号でシフトレジスタＳＲＣを動作させ、一方、垂直ブランキング期間が長い場合には、垂直同期信号でシフトレジスタＳＲ（１）を動作させるようにしてもよく、この構成によっても、液晶表示装置１Ａが得た効果と同様の効果が得られる。
【０１６５】
また、液晶表示装置１および液晶表示装置１Ａは、ラインをライン番号の高い方へ駆動するものとしたが、液晶表示装置１および液晶表示装置１Ａにより得られる効果を損なうことなく、ラインをライン番号の高い方と低い方のいずれか一方へ駆動するようにもできる。
【０１６６】
このときは、シフトレジスタＳＲ（１）が最後に動作するので、その後段のシフトレジスタと、その後段のシフトレジスタを設け、これらが単位回路ＣＤ（２）および単位回路ＣＤ（１）を動作させるようにする。そして、各シフトレジスタの入力に切り替えスイッチを設け、前段、後段のシフトレジスタを、それぞれ前段、後段のシフトレジスタにもできるようにする。
【０１６７】
そして、アスペクト比１６：９で表示を行う場合には、シフトレジスタＳＲ（３１）または垂直同期信号がシフトレジスタＳＲ（３０）を動作させる構成とし、単位回路ＣＤ（３１）および単位回路ＣＤ（３２）を動作させるシフトレジスタを別途に設ける構成とすればよい。
【０１６８】
また、液晶表示装置１あるいは液晶表示装置１Ａでは、信号線駆動回路（水平走査回路１０および信号線駆動回路１１）、走査線駆動回路（各シフトレジスタＳＲおよび各バッファＢＦ）、蓄積容量線駆動回路（各単位回路ＣＤ）を、画素トランジスタＱを形成するプロセスと同一のプロセスによりアレイ基板上に形成することで、製造工程を削減でき、また、当該回路を集積した集積回路や端子などの部品を削減することができる。また、当該集積回路を搭載するために大きくせざるを得なかった額縁領域を小さくすることができる。
【図面の簡単な説明】
【０１６９】
【図１】第１の実施の形態に係る液晶表示装置１の回路と駆動順序を示す図である。
【図２】液晶表示装置１における走査線Ｙと蓄積容量線ＣＬの電圧波形を示す図である。
【図３】液晶表示装置１がアスペクト比４：３で表示を行う場合のラインの極性を示す模式図である。
【図４】液晶表示装置１がアスペクト比１６：９で表示を行う場合のラインの極性を示す模式図である。
【図５】第２の実施の形態に係る液晶表示装置１Ａの回路と駆動順序を示す図である。
【図６】液晶表示装置１Ａがアスペクト比１６：９で表示を行う場合のラインの極性を示す模式図である。
【図７】アスペクト比４：３の画面にアスペクト比１６：９の画像を表示するときの動作説明図である。
【図８】従来の液晶表示装置２が備えた液晶パネルの構成を示す回路図である。
【図９】図８の液晶パネル並びにこの液晶パネルとともに用いられる回路を示す図である。
【図１０】図８の液晶表示装置２における電圧波形を示す図である。
【符号の説明】
【０１７０】
１、１Ａ  液晶表示装置
１０  水平走査回路
１１  信号線駆動回路
ＡＳＷ  アスペクト比切替スイッチ
ＢＦ：ＢＦ（１）〜ＢＦ（２４０）  バッファ
Ｃ  補助容量
ＣＤ：ＣＤ（１）〜ＣＤ（２４０）  蓄積容量線駆動回路を構成する単位回路
ＣＬ：ＣＬ（１）〜ＣＬ（２４０）  蓄積容量線
ＨＴ１  液晶表示装置１と液晶表示装置１Ａがアスペクト比４：３で表示を行う場合の水平走査期間
ＨＴ１１  液晶表示装置１とアスペクト比１６：９で表示を行う場合の余白領域での水平走査期間
ＨＴ１２  液晶表示装置１と液晶表示装置１Ａがアスペクト比１６：９で表示を行う場合の中央領域での水平走査期間
ＨＴ２１  液晶表示装置１Ａがアスペクト比１６：９で表示を行う場合の余白領域での水平走査期間
Ｐ  画素電極
ＰＬ  共通配線
ＰＳＷ  スイッチ
Ｑ  画素トランジスタ
ＳＲ：ＳＲ（１）〜ＳＲ（２４０）、ＳＲＡ１、ＳＲＡ２、ＳＲＢ１、ＳＲＢ２、ＳＲＣ  シフトレジスタ
Ｘ  信号線
Ｙ：Ｙ（１）〜Ｙ（２４０）  走査線
【図１】
2006084933.tif 000003
【図２】
2006084933.tif 000004
【図３】
2006084933.tif 000005
【図４】
2006084933.tif 000006
【図５】
2006084933.tif 000007
【図６】
2006084933.tif 000008
【図７】
2006084933.tif 000009
【図８】
2006084933.tif 000010
【図９】
2006084933.tif 000011
【図１０】
2006084933.tif 000012